(57)【特許請求の範囲】
【請求項１】
エンボスカードと請求書等を載置する基台(3)と、一方を開放端とし当該開放端に多孔質ローラー(7)を保持した箱状のキャリッジ(5)と、窓(2)を設けた本体(1)とからなり、前記本体(1)は前記基台(3)に対してその一側面において開閉自在に軸支され、前記本体(1)の裏部には略Ｖ字型の弾発部材(9)を設けて前記キャリッジ(5)を前記窓(2)内で往復移動可能に弾発支持した小型インプリンターにおいて、使用時には前記キャリッジ(5)の前記開放端を基台へ向けて前記窓(2)内で往復移動させて転写を行い、携帯時及び不使用時には前記窓(2)内に前記キャリッジ(5)を収納可能とすると共に前記窓(2)の端部に設けたローラー収納部(10)に前記多孔質ローラー(7)を収納可能とし、前記ローラー収納部(10)及び前記箱状のキャリッジ(5)で前記多孔質ローラー(7)を露呈しないようにしたことを特徴とする小型インプリンター。
【発明の詳細な説明】
【０００１】
【産業上の利用分野】
本発明は、クレジットカード等のエンボスカードＸを使用し、請求書等Ｙに印刷し、携帯に便利で汚れない小型インプリンターに関するものである。
【０００２】
【従来の技術】
従来、小型インプリンターには、実公昭６０−３０４号（以下（イ））、実公昭６０−１７３３３号（以下（ロ））、実公昭６２−２２３８３号（以下（ハ））、実公平５−３６７１０号（以下（ニ））の先願がある。
（イ）、（ロ）、（ハ）は、基本構成が本願とは異なることは明白であり、キャリッジの支持方法は、面当接して摺動させている。
また、（ニ）は、基本構成は一部で同じであるが、キャリッジの支持方法は本体の表面を面当接して摺動させている。
これら、４件の出願は、どれも本体と基台を開くとキャリッジに設けられた、多孔質ローラーは、下方に露呈されている。
したがって、不用意に携帯していると、本体と基台とが開き、多孔質ローラーのインキで他の物を汚す結果となる。
ここで、多孔質ローラーは、本体と基台を開くと半周面が露呈されることになる。
こうした課題を解決するために、（イ）、（ロ）、（ハ）には、本体と基台の開きを防止するためにロック機構を設けており、結果金型上もコスト的にもアップすることになる。また、ロック機構を態々外す手間を要することになる。
【０００３】
【発明が解決しようとする課題】
以上のように、従来の課題は、本体と基台を開くと多孔質ローラーが、半周面露呈しており、携帯時に不用意に開くと他の物を汚す結果となる。
また、こうしたことを解決しようとして、ロック機構を設けると金型上もコストアップとなり、ロック機構を係脱する手間を要する。
こうしたことにより、コスト高になるロック機構を設けず、携帯時に不用意に本体と基台が開いても多孔質ローラーによる、他の物への汚れを防止する小型インプリンターを提供する。
また、更に、携帯しやすく、コスト的にも安価な小型インプリンターを提供する。
【０００４】
【課題を解決するための手段】
エンボスカードと請求書等を載置する基台(3)と、一方を開放端とし当該開放端に多孔質ローラー(7)を保持した箱状のキャリッジ(5)と、窓(2)を設けた本体(1)とからなり、前記本体(1)は前記基台(3)に対してその一側面において開閉自在に軸支され、前記本体(1)の裏部には略Ｖ字型の弾発部材(9)を設けて前記キャリッジ(5)を前記窓(2)内で往復移動可能に弾発支持した小型インプリンターにおいて、使用時には前記キャリッジ(5)の前記開放端を基台へ向けて前記窓(2)内で往復移動させて転写を行い、携帯時及び不使用時には前記窓(2)内に前記キャリッジ(5)を収納可能とすると共に前記窓(2)の端部に設けたローラー収納部(10)に前記多孔質ローラー(7)を収納可能とし、前記ローラー収納部(10)及び前記箱状のキャリッジ(5)で前記多孔質ローラー(7)を露呈しないようにしたことを特徴とする小型インプリンター。
【０００５】
【作用】
携帯時、及び、不使用時には、多孔質ローラー７をローラー収納部１０に収納している。
また、キャリッジ５と長側縁部８を係合させて、キャリッジ５を本体１に固定している。
そして、キャリッジ５を持ち、窓２の空いている方向に引き出しながら、本体１の長側縁部８又はキャリッジ５の表面のどちらか一方に設けられた凸部１３と他の一方に設けられた凹部１４の係合を解除する。
キャリッジ５は、本体１の長側縁部８の裏部と弾発部材９の間で軸支されているので回転可能であり、上記解除後には前記キャリッジ５を立てて多孔質ローラー７部分をエンボスカードＸと請求書Ｙを積層した基台３に向けて押圧しながら往復移動させ、請求書Ｙに転写させる。
【０００６】
ここで、積層する順番は、基台３の上にエンボスカードＸ、その上に請求書Ｙを載設する。基台３と本体１を開けて、エンボスカードＸは、カード挿入口２０よりセットされ、その上から請求書Ｙを載せる。この状態のまま本体１を基台３方向に回転させ前記エンボスカードＸと請求書Ｙを挟着保持する。
この時、本体１の一側縁において開閉自在に軸支した部分より外側に角部１６を設けて、相対する基台３側の部分には前記角部１６を弾発押圧する弾発片１７を設けて前記基台３と前記本体１が開くことを防止している。
また、開くときには角部１６は、弾発片１７を押し下げて凹１８に位置し、開閉時の手応えを与える。
最後に使用したあとは、基台３と本体１を開き転写された請求書Ｙを取出し、カード挿入口２０から飛び出しているエンボスカードＸを引抜き、そしてキャリッジ５の多孔質ローラー７部分をローラー収納部１０側に前記キャリッジ５を倒す。そして、初期の状態にキャリッジ５と長側縁部８を係合させ、キャリッジ５を本体１に固定する。
【０００７】
【実施例】
本発明の実施例を図１、図２、図３より詳細に説明する。
１は、本体であり、真中に窓２を設けた枠状としている。前記本体１には、前記窓２の少なくとも一方の短辺にローラー収納部１０を設けている。
３は、基台であり、前記本体１と一側縁において開閉自在に軸支している。また、基台３の表面にはエンボスカードＸを収容するカード凹部４が設けられている。
【０００８】
５は、キャリッジであり、一方を開放端とした箱状であり、前記開放端には軸６により多孔質ローラー７を回転可能に保持している。また、大きさは窓２の幅より小さい幅である。
前記キャリッジ５は、本体１の窓２の中を往復移動可能としており、軸６は本体１の長側縁部８の裏面と弾発部材９との間を摺動している。従って、キャリッジ５は、軸６を中心にして回転可能に軸支されている。
回転可能に軸支される方法は、軸６だけでなくキャリッジ５の長側縁部８に相対する表面に設けても本発明の意図とするところである。
長側縁部８に相対するキャリッジ５の少なくとも一側面と長側縁部８のどちらかに凸部１３を、もう一方に凹部１４を設けて、携帯時にキャリッジ５を固定する。
更にまた、本体１の長側縁部８に相対するキャリッジ５の少なくとも一側面に係止突部１５を設けて、前記長側縁部８の表面に当接させキャリッジ５の収納時にはキャリッジ５の落ち込みを防ぎ、平行を保持する。
【０００９】
９は、略Ｖ字型の弾発部材であり、本体１の長側縁部８の裏面に設けられている。本実施例の弾発部材９は、合成樹脂からなり、特に、一枚の合成樹脂板であっても中央で２枚あわせた合成樹脂板であってもよい。
特に、本実施例は合成樹脂であるが、スチールの板バネも使用可能であるこのは言うまでもない。
前記弾発部材９は、本体１の長側縁部８の裏面に中央で螺子係合されており、両端部に孔１１を設け、長側縁部８の裏面より突出して設けたガイド凸部１２と前記孔１１により弾発部材９の抜け（外れ）を防止する。
本体１には、基台３と開閉自在に軸支している一側縁に角部１６を設け、前記角部１６に相対する基台３には凹１８を有する弾発片１７を設けている。
角部１６は、本体１を閉じた時には弾発片１７により弾発押圧され、前記基台３と前記本体１が開くことを防止している。角部１６は、弾発片１７と面当接にて押圧されている。
【００１０】
次に、本発明の小型インプリンターの使用法は、  携帯時、及び、不使用時には、多孔質ローラー７をローラー収納部１０に収納してある。
また、キャリッジ５と長側縁部８を係合させ、キャリッジ５を本体１に固定している。
そして、キャリッジ５を持ち、窓２の空いている方向に引き出しながら、本体１の長側縁部８又はキャリッジ５の表面にそれぞれ設けた凸部１３、凹部１４の係合を解除する。
【００１１】
キャリッジ５は、本体１の長側縁部８の裏面と弾発部材９の間で軸支されているので回転可能であり、上記解除後には前記キャリッジ５を立てて多孔質ローラー７部分をエンボスカードＸと請求書Ｙを積層した基台３に向けて押圧しながら往復移動させ、請求書Ｙに転写させる。
ここで、積層する順番は、基台３の上にエンボスカードＸ、その上に請求書Ｙを載設ける。基台３と本体１を開けて、エンボスカードＸは、カード挿入口２０よりセットされ、その上から請求書Ｙを載せる。この状態のまま本体１を基台３方向に回転させ前記エンボスカードＸと請求書Ｙを挟着保持する。
この時、角部１６は本体１と基台３が開いた状態では凹１８に位置している。
本体１と基台３を閉じると角部１６と弾発片１７は面当接し押圧され本体１と基台３が開きにくい状態となる。
最後に使用したあとは、基台３と本体１を開き転写された請求書Ｙを取出し、カード挿入口２０から飛び出しているエンボスカードＸを引抜き、そしてキャリッジ５の多孔質ローラー７部分をローラー収納部１０側に前記キャリッジ５を倒す。
そして、初期の状態にキャリッジ５と長側縁部８を係合させ、キャリッジ５を本体１に固定する。
【００１２】
【効果】
以上のような構成であるので、本体１と基台３を開くと多孔質ローラー７が、ローラー収納部１０に収納され露呈しておらず、携帯時に不用意に本体１と基台３が開いても多孔質ローラー７によって、他の物を汚ごすことを防止できる。
また、更に、キャリッジ５が収納できるので携帯しやすく、使用時には手に十分保持できるキャリッジ５を取り出すことが出来使用しやすく、しかもコスト的にも安価な小型インプリンターである。
【００１３】
【図面の簡単な説明】
【図１】本発明の実施例の全体斜視図
【図２】本発明の実施例の一部部品斜視図
【図３】本発明の実施例について不使用状態の説明図
【図４】本発明の実施例について使用状態の説明図
【図５】本発明の実施例の角部と弾発片の略拡大図
【００１４】
【符号の説明】
１    本体
２    窓
３    基台
４    カード凹部
５    キャリッジ
６    軸
７    多孔質ローラー
８    長側縁部
９    弾発部材
１０    ローラー収納部
１１    孔
１２    ガイド凸部
１３    凸部
１４    凹部
１５    係止突部
１６    角部
１７    弾発片
１８    凹
１９    表面
２０    カード挿入口
【図１】
0003851381.tif 000002
【図２】
0003851381.tif 000003
【図３】
0003851381.tif 000004
【図４】
0003851381.tif 000005
【図５】
0003851381.tif 000006